(57)【要約】【解決手段】  この発明は、プッシュオン／プッシュオフタイプのカード排出スライドを有する電気コネクタ（５０）を提案するものであり、前記スライドは、カードホルダキャリッジを構成することを特徴としており、このカードホルダキャリッジは、後部長手方向端に、通常はカード（Ｃ）の長手方向保持用の位置にある引込み可能なバー（５２４、５２６）を有し、そのキャリッジ（５００）内の作動中の位置においては、その位置に対して弾性的に復帰し、さらにはその位置において、そのバー（５２６、５３０）がカードの後部横方向縁（６８）に面している。
2006520073.tif 000002
【特許請求の範囲】
【請求項１】
その下方の主要面（７８）に一連の導電パッド（Ｐｉ）を有する四角い普通の形状の接点タイプのスマートメモリカード（Ｃ）用のハウジング（５８）を規定する絶縁材料からなる支持体（５２）であって、各パッドは、前記支持体のハウジングの底面に配置された電気接点ブレード（１００）の上方接点端（１０２）と協働することができるものを構成し、
前記カードを排出するためのスライド（２５０）であって、
それに向かって弾性的に復帰され、その中に前記カード（Ｃ）が挿入され、または取出される、排出された後部休止位置と、前記カードの電気接点パッド（Ｐｉ）が電気接点ブレード（１００、１０２）と協働する、ロックされた前方動作位置との間に、本体（５２、２５８）を越えて長手方向にスライドすることができ、
さらには、それをもって前記カード（Ｃ）の前部横方向縁（６６）が前記スライド（２５０）に関して、前記カードの動作位置を決定するために協働する動作中の横方向縁（３３１）を有するものを構成し、
前記スライド（２５０）をその休止位置に復帰するための弾性的な復帰力（２５４）に対抗して、前部動作位置に前記スライド（２５０）をロックするための手段（２５６、２６５）であって、その手段は、前記スライド（２５０）がその動作位置に到達するときに自動的に始動するタイプであり、かつ、その解放が、その動作位置を越えて、弾性的な復帰力に対抗して、前記スライド（２５０）の前方移動によって生じるタイプであるものを構成し、
スライド（２５０‐５００）は、その後部長手方向端に、通常は、キャリッジの動作中の位置において、その位置に向かって弾性的に（５１８）復帰され、その中にバー（５２４、５２６）が前記カードの後部長手方向縁（６８）に面してある長手方向のカード保持位置にある引込み可能なバー（５２４、５２６）を有するカードホルダキャリッジを構成することを特徴とするタイプの電気コネクタ（５０）。
【請求項２】
前記保持バー（５２６）は、それに対して弾性的に復帰される保持の高い位置と、カード（Ｃ）の通常の平面と平行である水平の全体方向（Ｌ１）内において、前記カード（Ｃ）をキャリッジから取出すことができる、引込まれた低い位置との間に、垂直に移動するように設置され、前記コネクタからのカードの取出しが、前記キャリッジの排出の第１ステップおよび、それから前記スライダ（５００）からのカード取出しの第２ステップにおいて達成されるようであることを特徴とする前記請求項１によるコネクタ。
【請求項３】
前記保持バー（５２６）は、前記カード(Ｃ)の保持の高い位置において、前記カード（Ｃ）の後部長手方向縁（６８）に垂直にほぼ対面している前部横方向保持面（５３０）を有することを特徴とする前記請求項１および２のいずれかであるコネクタ。
【請求項４】
前記カードホルダキャリッジ（２５０‐５００）は、カードホルダキャリッジからのカード（Ｃ）の取出しを支援するためのスプリング（３３７）を有することを特徴とする前記先行する請求項のいずれか１項によるコネクタ。
【請求項５】
前記スプリング（３３７）は、前記カードホルダキャリッジ（２５０‐５００）によって設けられ、その保持バーが前記カードホルダキャリッジにおける高いカード保持位置にあるときに、前記保持バー（５２８、５３０）に対して支承することによって前記カードを長手方向後方に強制する力を加えるために、前記カードの前部横方向縁（６６）と協働することを特徴とする前記先行する請求項のいずれか１項によるコネクタ。
【請求項６】
前記保持バーは、高い位置内に前記バーを弾性的に復帰するカードホルダキャリッジ（２５０‐５００）の２つの弾性的に変形可能なアーム（５１８）の後部長手方向端（５２０）によって設けられることを特徴とする前記先行する請求項のいずれか１項によるコネクタ。
【請求項７】
前記カード(Ｃ)の面の下側にある水平平板（５０２）の普通の形状内において、カードホルダキャリッジ(２５０‐５００)は、排出スライド（２５０）およびカードホルダスライダ（５００）を有し、そのカードの面の下方に置かれる水平平板の一般的な形状において、そのスライダは、排出スライド（２５０）とともに長手方向への移動を受けるようにリンクされていることを特徴とする前記先行する請求項のいずれか１項によるコネクタ。
【請求項８】
弾性的に変形可能なアーム（５１８）は、前記カードホルダスライダ（５００）に属することを特徴とする前記請求項６と組合せた先行する請求項のいずれか１項によるコネクタ。
【請求項９】
引込まれた下方の位置において前記保持バーを一時的にブロックするための引込み手段（６０４、６０６、６０８、６１０）を有することを特徴とする前記先行する請求項のいずれか１項によるコネクタ。
【請求項１０】
前記保持バー（５２６）は、前記カード（Ｃ）の前方動作位置において、その中に前記コネクタ（５０）が設置されている電子機器（６００、Ｅ）の特徴の一部を形成するケース要素に属する開口（５４０）を閉塞するゲートを形成する後部片（５２４）に属することを特徴とする前記先行する請求項のいずれか１項によるコネクタ。
【請求項１１】
前記カードホルダスライダ（５００、２５０）が排出された後部位置にあるときに、ゲート形成の保持バー（５２４、５２６）の下方の垂直引込み移動を制限するストップ手段（５４３、５４５）有することを特徴とする前記先行する請求項のいずれか１項によるコネクタ。
【請求項１２】
前記保持バー（５２６）は、前記カードホルダキャリッジ（２５０‐５００）をロックする、または解放するために、ユーザーが長手方向前方に押圧することによって作動する作動バー（５２７）を構成することを特徴とする前記先行する請求項のいずれか１項によるコネクタ。
【請求項１３】
前記カードホルダキャリッジを開錠するための前方移動は、それを開錠するための前方移動よりも少ないことを特徴とする前記先行する請求項のいずれか１項によるコネクタ。
【請求項１４】
前記カードホルダキャリッジのロックされた前方位置において、前記ゲート（５２４）の後部横方向面（５２７）は、前記開口（５４０）が形成される機器（Ｅ）の外部表面（５４２）とほぼ同一面であることを特徴とする前記請求項１０と組合せた前記先行する請求項のいずれか１項によるコネクタ。
【請求項１５】
前記保持バー（５２６）は、外部にメタライズド加工したプラスチックモールド成形部品またはメタルインジェクションモールド成形部品であることを特徴とする前記先行する請求項のいずれか１項によるコネクタ。
【請求項１６】
前記キャリッジ（５００）によって保持される移動する接点ブレード（５１９）を有し、前記カード挿入／取出サイクルにおけるいかなる時点でも、スイッチが、常に電気回路の開放前に開き、常に電気回路の閉成前に閉じて、カードの集積回路を保護することを保証するために、絶縁体（５２）によって保持される、２つのうちの一方または両方、前部および後部の、固定されたブレード（１０２’、１０２”）と協働するスイッチを有することを特徴とする前記先行する請求項のいずれか１項によるコネクタ。
【発明の詳細な説明】
【背景技術】
【０００１】
この発明は、チップカードタイプの電子メモリカード用および大記憶容量のカード用の電気コネクタに関する。
【０００２】
この発明は、より特別には、その下方の主表面に一連の導電パッドを有する四角い普通の形状の接触タイプのスマートメモリカード用電気コネクタに関する。
【０００３】
チップカード用には、これは標準化されたＳＩＭ、またはＭＩＣＲＯＳＩＭタイプであることができる。大記憶容量のカードの場合には、そのカードは、ある場合には、その長手方向縁の一方に、そのカードがコネクタ内の接点か、または動作位置にあるときに、ノッチ内に収容された補完的なブロック手段によって長手方向にカードをブロックするためのブロッキングノッチを有する。
【０００４】
このように、この発明は、ＳＩＭ、またはＭＩＣＲＯＳＩＭカードを接続するためと、ＳＤ（Ｓｅｃｕｒｅ  Ｄｉｇｉｔａｌ）カードと呼ばれる大記憶容量のカードを接続するためとの両方の電気コネクタに関する。
【０００５】
ＳＤカードのあらゆる特徴および性能特性は、ＳＤＣＡ（ＳＤカード協会）が発行する文書で定義されており、その住所は、５３  Ｍｕｃｋｅｌｅｍｉ  Ｓｔ．，  ＰＯ  Ｂｏｘ  １８９，  Ｓａｎ  Ｊｕａｎ  Ｂａｕｓｄｉｓｔａ，  ＣＡ  ９５０４５−０１８９−ＵＳＡである。このＳＤカードは、ＭＭＣ（マルチメディアカード）カードのファミリーに属する。
【０００６】
ＭＭＣおよびＳＤカードの全体の寸法は、ＳＤカードが薄い（１．４ｍｍ）ときは、ＳＤカードがより厚い（２．１ｍｍ）ときのその厚さの注目すべき例外と同一であり、これはそのようなカードのより大きなメモリ容量に対応して増加する。
【０００７】
このＳＤカードはまた、その右側の長手方向縁に、ある用途において、ブロッキングノッチに係合された補完的な手段によって長手方向にブロックされることをＳＤカード用に可能にするノッチを有する。
【０００８】
この発明はまた、ソニーが販売しているＭＳＤ（メモリスティックデュオ）カードと呼ばれる大記憶容量の他のカードを接続するためのコネクタに関する。
【０００９】
ＭＳＤカードのあらゆる特徴および性能特性は、ソニーコーポレーションが「メモリースティック標準−メモリスティックデュオフォーマット仕様、バージョン１．０−２００１年８月」という名称で発行した文書で定義されている。
【００１０】
このＭＳＤカードは、また、その左の長手方向縁に、ブロッキングノッチに係合された補完的手段によって、カードを長手方向にブロックすることができるノッチを有する。しかしながら、他の右の長手方向縁は、書込み保護装置を有しておらず、この機能は、カードが有しているスイッチによって作動する手段によって設けられる。
【００１１】
また注目すべきことは、ＭＳＤカードにおけるノッチは、丸形の外形を有し、カードの全高、または厚さを超えない、すなわち、その下方の面にのみ開放し、かつ上方には塞がっている。
【００１２】
一般に、その位置においてそのカードが電気的に接続される動作位置におけるカードの配置、そして、カードが使用された後のユーザーによる取出しは、そのカードを接続するための組立装置内に組込まれる手段を使用し、特にそのカードを排出するための手段を有し、この装置組立は、できる限りコンパクトで、高価でなく、特には少数の部品を有するものでなければならない。
【００１３】
ポータブルケースを有する用途の状況では、特許文献１は、すでに、ケースであってその一面がカードを収容するための区画を有し、その位置内にカードが区画内に置かれるかそれから取出される後部休止位置と、カードにおける導電パッドがケース内に設けられた電気コネクタに属する電気接点ブレードの自由接触端と協働する前方動作位置との間を摺動できるカードホルダキャリッジに対するアクセスを与える窓を規定するタイプのカード用受入装置を提案している。
【００１４】
この設計において、カードの排出は、動作位置にキャリッジをロックする手段を解放するように、さらには区画内のカードに対するアクセスを得ることができる後部休止位置に復帰するように、横方向面によって手動で把持されるカードホルダキャリッジを必要とする。
【００１５】
したがって、そのような設計は、もはや、特に視覚障害者をふるまうときに、受入装置から単純な方法でカードが取出されてしまうことを可能にする。
【００１６】
特許文献２は、これらの不具合を改善するために、カードを収容するためのキャリッジに対するアクセスを与える面を有し、かつ、カードを挿入しまたは取出すための後部休止位置と前方動作位置との間に本体を越えて長手方向にスライドできる本体を具備するタイプ、さらには、キャリッジの休止位置を規定するための停止手段と、その後部休止位置に対して停止手段を復帰するための手段に加えられた弾性力に対して動作位置にキャリッジをロックする手段とを有するタイプのカードを接続するための組立を提案している。
【００１７】
その特許文献に記述された設計によると、カードホルダキャリッジをロッキングする手段は、キャリッジがその動作位置に到達するときに自動的な掛け外しを有するタイプであり、さらには、その動作位置を越えて、解放が、弾性的復帰力に対してキャリッジの前方移動によってもたらされるタイプ、すなわち、プッシュオン／プッシュオフと呼ばれる設計である。
【００１８】
さらに正確には、ロッキング手段は、キャリッジがその動作位置に近いときに、対面するロッキングカムと協働する端部爪を有するロッキングフックを具備するタイプである。
【００１９】
カードを接続するためのこのような組立の、そして、特にＭＩＣＲＯＳＩＭタイプのカード用のタイプのコンパクトな設計は、特許文献３で提案された。この設計は、ＧＳＭタイプのセルラテレフォンのような小形の電子機器、または、ＰＤＡ（個人デジタル補助手段）のような電子メモリカードの接続を必要とするあらゆる他の電子製品内にそれを集積することをより容易にする目的で、あらゆる寸法の組立の大きさを減少することで最初の試みを構成している。
【００２０】
このように、その特許文献は、その中にロッキング装置のロッキングフックの端部爪が、カードおよびキャリッジのスライドする平面と平行な方向に置かれる組立を提案しており、カードの通常の平面に直角なキャリッジの表面部分に形成されている。
【００２１】
しかしながら、その特許文献で提案されたコンパクトな組立は、使用位置においてカードを保持するための手段を有していない。
【００２２】
特許文献４は、特許文献５の出願人によって提案されたカード保持手段と同様の設計で、その口唇がカードの後部横方向縁と協働するキャリッジの後部口唇によってカードを保持するためのキャリッジを有するＭＭＣタイプのカードのためのコネクタの実施形態を提案している。
【００２３】
特許文献６は、あらゆるタイプのＭＭＣカード、および特にはＳＤタイプのカードを収容するための、すなわち特別にコンパクトではあるがコネクタからカードを排出するための手段を一体化していない電気コネクタの設計を開示している。
【００２４】
特許文献７は、カードを排出するための手段を有し、動作位置においてカードをブロックする機能をなおも満たしている間に、カードを接続するための実際の電気コネクタを構成する単体組立の形状に製造することができる、特別にはＳＤタイプ、またはＭＳＤタイプのカードを接続するためのコンパクトな組立の改良された設計を提案している。
【００２５】
その長手方向縁の一方において、そのノッチ内に収容される補完的なブロッキング手段によってカードを長手方向にブロッキングするためのノッチを有するメモリカード用にこのように提案されたコネクタは、カードを排出するためのスライドであって、その位置に向かって前記スライドが弾性的に復帰し、その位置内にカードが挿入または取出され、ストップ手段によって規定された後部休止位置とカードにおける電気接触パッドが電気接点要素と協働する前方動作位置との間に本体を越えて長手方向にスライドすることができるものと、スライドを休止位置に復帰するための弾性的な復帰力に対して、動作位置にスライドをロッキングするための手段であって、スライドがその動作位置に到達するときに自動的に掛け止めが外れるタイプであり、その解放が弾性的な復帰力に対するスライドの前方への移動によって引き起こされるタイプであって、その動作位置を越えて、カードブロッキング手段がスライド内に組込まれるものとを有している。
【００２６】
「プッシュオン／プッシュオフ」タイプの自動的排出およびロッキング手段を有するあらゆる公知のコネクタ設計においては、そのコネクタがその中に組込まれる電子装置は、このように装置の美的な外見から大きく損なう開口を残すスロットを有し、また、ほこりの進入に対する開口部を構成している。
【特許文献１】ＦＲ−Ａ−２６８１７１１
【特許文献２】ＷＯ−Ａ−９６／０２８９３
【特許文献３】ＷＯ−Ａ−００／７０５３２
【特許文献４】ＷＯ−Ａ−０１／２９９３４
【特許文献５】ＷＯ−Ａ−９９／６３４７４
【特許文献６】ＷＯ−Ａ−０２／０７３５２４
【特許文献７】ＷＯ−Ａ−０２／０８９０４０
【発明の開示】
【発明が解決しようとする課題】
【００２７】
このようにこの発明の目的は、「プッシュオン／プッシュオフ」タイプの手段を組込み、さらにまた、装置におけるスロットを閉塞するためのゲートを構成する構造要素を組込むコネクタを提案することである。
【００２８】
また、この発明の目的は、カード取出しを開始するためのトリガにアクセスを与えるスロットを規定することができるように、それからカードが排出された位置にあるときにカードが制御された方法で操作される電子機器のケース内に組込まれるようなプッシュオン／プッシュオフタイプのカード排出スライドを有するコネクタの人間工学を改良することである。
【００２９】
この目的のために、この発明は、以下のタイプの電気コネクタを提供する。
【課題を解決するための手段】
【００３０】
−  その下方の主要面に一連の導電パッドを有する四角い普通の形状の接点タイプのスマートメモリカード用のハウジングを規定する絶縁材料からなる支持体であって、各パッドは、前記支持体のハウジングの底面に配置された電気接点ブレードの上方接点端と協働することができるものを構成し、
−  前記カードを排出するためのスライドであって、
・  それに向かって弾性的に復帰され、その中に前記カードが挿入され、または取出される、排出された後部休止位置と、前記カードの電気接点パッドが電気接点ブレードと協働する、ロックされた前方動作位置との間に、本体を越えて長手方向にスライドすることができ、
・  さらには、それをもって前記カードの前部横方向縁が前記スライドに関して、前記カードの動作位置を決定するために協働する動作中の横方向縁を有するものを構成し、
−  前記スライドをその休止位置に復帰するための弾性的な復帰力に対抗して、前部動作位置に前記スライドをロックするための手段であって、その手段は、前記スライドがその動作位置に到達するときに自動的に始動するタイプであり、かつ、その解放が、その動作位置を越えて、弾性的な復帰力に対抗して、前記スライドの前方移動によって生じるタイプであるものを構成し、
スライドは、その後部長手方向端に、通常は、キャリッジの動作中の位置において、その位置に向かって弾性的に復帰され、その中にバーが前記カードの後部長手方向縁に面してある長手方向のカード保持位置にある引込み可能なバーを有するカードホルダキャリッジを構成することを特徴とするタイプの電気コネクタ。
【００３１】
この設計の理由で、カードホルダキャリッジの後部長手方向端に置かれた保持バーを形成する要素は、スロットを閉塞するためのゲートを構成し、そのゲートは、キャリッジのロックされた位置で、その中にそれがスロットを閉塞する位置を自動的に占める。
【００３２】
さらに、カードホルダキャリッジにおけるカード保持バーの機能は、カードが、コネクタにおける動作位置にそれ自身ロックされるキャリッジにおいて規定された長手方向位置に保持されることを条件として、どんなカードのタイプであっても、すなわち長手方向位置にブロッキングノッチを有しようと有しまいと、この発明によるコネクタを使用することができる。
【００３３】
この発明の他の特徴によれば、
−  前記保持バーは、それに対して弾性的に復帰される保持の高い位置と、カードの通常の平面と平行である水平の全体方向内において、前記カードをキャリッジから取出すことができる、引込まれた低い位置との間に、垂直に移動するように設置され、前記コネクタからのカードの取出しが、前記キャリッジの排出の第１ステップおよび、それから前記スライダからのカード取出しの第２ステップにおいて達成されるようである。
【００３４】
−  前記保持バーは、前記カードの保持の高い位置において、前記カードの後部長手方向縁に垂直にほぼ対面している前部横方向保持面を有する。
【００３５】
−  前記カードホルダキャリッジは、カードホルダキャリッジからのカードの取出しを支援するためのスプリングを有する。
【００３６】
−  前記スプリングは、前記カードホルダキャリッジによって設けられ、その保持バーが前記カードホルダキャリッジにおける高いカード保持位置にあるときに、前記保持バーに対して支承することによって前記カードを長手方向後方に強制する力を加えるために、前記カードの前部横方向縁と協働する。
【００３７】
−  前記保持バーは、高い位置内に前記バーを弾性的に復帰するカードホルダキャリッジの２つの弾性的に変形可能なアームの後部長手方向端によって設けられる。
【００３８】
−  前記カードの面の下側にある水平平板の普通の形状内において、カードホルダキャリッジは、排出スライドおよびカードホルダスライダを有し、そのカードの面の下方に置かれる水平平板の一般的な形状において、そのスライダは、排出スライドとともに長手方向への移動を受けるようにリンクされている。
【００３９】
−  弾性的に変形可能なアームは、前記カードホルダスライダに属することを特徴とする前記請求項６と組合せた先行する。
【００４０】
−  引込まれた下方の位置において前記保持バーを一時的にブロックするための引込み手段を有する。
【００４１】
−  前記保持バーは、前記カードの前方動作位置において、その中に前記コネクタが設置されている電子機器の特徴の一部を形成するケース要素に属する開口を閉塞するゲートを形成する後部片に属する。
【００４２】
−  前記カードホルダスライダが排出された後部位置にあるときに、ゲート形成の保持バーの下方の垂直引込み移動を制限するストップ手段有する。
【００４３】
−  前記保持バーは、前記カードホルダキャリッジをロックする、または解放するために、ユーザーが長手方向前方に押圧することによって作動する作動バー（５２７）を構成する。
【００４４】
−  前記カードホルダキャリッジをロックするための前方移動は、それを開錠するための前方移動よりも少ない。
【００４５】
−  前記カードホルダキャリッジのロックされた前方位置において、前記ゲートの後部横方向面は、前記開口が形成される機器の外部表面とほぼ同一面である。
【００４６】
−  前記保持バーは、外部にメタライズド加工したプラスチックモールド成形部品またはメタルインジェクションモールド成形部品である。
【００４７】
−  前記キャリッジによって保持される移動する接点ブレードを有し、前記カード挿入／取出サイクルにおけるいかなる時点でも、スイッチが、常に電気回路の開放前に開き、常に電気回路の閉成前に閉じて、カードの集積回路を保護することを保証するために、絶縁体によって保持される、２つのうちの一方または両方、前部および後部の、固定されたブレードと協働するスイッチを有する。
【００４８】
その他の特徴や利点は、その参照が付属の図面に対してなされる理解のために、以下に続く詳細な記述を読むことによって明らかになる。
【発明を実施するための最良の形態】
【００４９】
以下に続く説明において、同一の、同様の、または類似した要素部品は、同一の参照符号によって示される。
【００５０】
限定のない慣行によって、用語「より低い」「より高い」「前部」および「後部」は、図に関するときに採用される。
【００５１】
図２から３９に示されるこの発明の第１実施例は、ソニーが販売している「メモリスティックデュオ」メモリカードを受入れるように設計されたコネクタの場合について説明されている。
【００５２】
図１に例証されるこのカードは、特にその左側縁内において固定ノッチ７５を有する。
【００５３】
図は、そのノッチ経由前記カードを保持するためのその手段を有する「プッシュオン／プッシュオフ」排出スライドの設計に特に関するように、通常の設計が、前記特許文献７に記述され図示されたコネクタのそれと同様である電気コネクタを示している。
【００５４】
このように、電気コネクタ５０は、基本的には平板の一般的形状のプラスチックからなる絶縁支持体５２からなっており、これはカードハウジング５８が形成される平坦な水平の上面５６によって境界を接している。
【００５５】
ハウジング５８は，水平の下方の底壁６２によって垂直方向下方に境界を接し、下方にかつ側方に電子メモリカードの前方部の長手方向の挿入のためのスロットを規定するために長手方向に後方に開放しており、そのカードは例えば、メモリスティックデュオタイプのカードＣである。
【００５６】
図に示されるように公知の設計のカードＣは、横方向の前端縁６６によって、横方向の後端縁６８によって、そして２つの対向する平行な側方縁、すなわち左側縁７０と右側縁７２とによって、長手方向に境界を接する、四角の一般的形状である。
【００５７】
前記縁６６および７０の交差に対応する左前コーナーは、丸いコーナー面６４を有する。
【００５８】
カードＣは、また、水平の上方面７４と、前記コネクタの接点ブレード１００の上方自由接点端１０２に向かって方向付けされ、この場合には前記印刷回路基板（図示せず）に向かって下方に、平行な対向する下方面７６とを有する。
【００５９】
カードＣは、その横方向前端縁６６近くに、その上方面にコネクタを有する印刷回路基板に向かって下方に方向付けされる一連の導電接点パッドＰｉを有する。
【００６０】
カードＣは、その側方縁７２にブロッキングノッチ７５を有し、図２５に示される長手方向Ｌ１に後から前方へハウジング５８内に、その前部横方向縁６６が、直接または間接的に前部にハウジング５８を規定する前部横方向端壁縁７８に対して当接するまで、挿入されることができる。
【００６１】
カードＣの対向する側縁７０および７２は、横方向にハウジング５８を規定するそれぞれ対向する平行な横方向縁８０および８２によってハウジング５８内にスライドしてガイドされる。
【００６２】
図において分かるように、作動中のハウジング５８は、その中にカードＣの前方部分を収容され、その端壁縁７８で横方向に、そして絶縁支持体５２の横方向後端面８４によって後部で横方向に、境界を接する。
【００６３】
そのハウジング５８内への挿入またはそこからの取出しの間のカードＣのスライドする側方ガイドを改良するために、絶縁支持体５２の本体は、長手方向のガイド案内縁８０および８２の長さを増加するために、後部横方向面８４を越えて長手方向後方に延びる２つの長い対向する長手方向延長部、またはアーム８８および９０を有する。
【００６４】
スマートカードを接続するためのコネクタの分野では知られた技術によれば、絶縁支持体５２は、ここでは１０個の一連の接点要素１００を有し、この接点要素は弾性的に変形可能なブレードの形状に製造され、その自由接点端１０２はカードＣの下方面７６上に見られる導体パッドＰｉと協働するために底面６２の平面の上方に垂直に突出している。
【００６５】
各接点ブレード１００は、タブ形状の後部自由接続端１０４を有し、これは印刷回路基板の上方面の表面に半田付けされるようにタブの形状にここでは設計されている。
【００６６】
ブレード１０２の出力端１０４は、絶縁支持体５２の前部横方向の面８６を越えて前方に長手方向に延びている。
【００６７】
図に例証された実施例において、コネクタ５０は、絶縁支持体５２に加えて、特にその頂部でハウジング５８を閉塞する上部平板形状主本体５６上方にある金属またはメタライズされた蓋（カバー）５４を有する。
【００６８】
図に例証されたコネクタ５０は、コネクタ５０からカードを排出するための装置２５０を有する。
【００６９】
公知の設計において、排出装置２５０は、本質的に、スライドするキャリッジまたはスライド２５０と、排出スプリング２５４と、Ｕ字形ロッキングフック２５６と、絶縁支持体５２の補完的部分２５８とを有する。
【００７０】
より正確には、絶縁支持体の部分２５８は、ここでは縁８０を越えて、ここでは左に設けられている。
【００７１】
側方部２５８は右手側方に、すなわち、絶縁支持体５２の外側に対して開口し、さらに水平端壁２６２によって、全体的に境界を接している。
【００７２】
側方部２５８は、このように、絶縁支持体５２の左前部コーナーによる、かつ、カード挿入面取り面を有する長手方向アームの後部横方向面によって境を接する右後部コーナー２６６による、その前部長手方向端で境界を接するハウジングの形状において全体的である。
【００７３】
後部コーナーまたはブロック２６６は、スプリング２５４のフック形後部長手方向端２５３を留めるための垂直の円筒状ピン２７０を有し、このスプリングは引張コイルスプリングであり、その円筒状体２５５は部分２５８内に収容されており、この部分２５４は、それが長手方向にスライドするようにスライド２５０をガイドするための２つの垂直リブ２７５および２７７を有している。
【００７４】
後部リブ２７５の横方向前部端面２７６と前部リブ２７７の横方向後部端面２９４との間に、部分２５８が、ハウジング５８に向かって、したがってカードがコネクタ内にあるときにカードの左側縁に向かって、内部に対して縦方向に開口する。
【００７５】
スライド２５０は、ここでは、切断され、折曲げられたシートメタルでできた一体の形状に製造される。
【００７６】
全体的に、それは、組立てられた位置に、絶縁支持体５２に関連する両方向の長手方向にスライドするようにそれをガイドする後部リブ２７５および前部リブ２７７を跨ぐ長手方向に通常の方向を向いたＵ形の部材の形状である。
【００７７】
スライド２５０は、横方向後部縁端３２２によって長手方向後方に境界を接する。
【００７８】
それは引張スプリング２５４によって弾性的に復帰し、そのフック形前部長手方向端２５７は、スライド２５０の前部外方側方フランジ３１６の後部横方向縁３２６近くに形成されたノッチ３２４内にこの目的のために受けられている。
【００７９】
内部の側方フランジ３１０は、スライド２５０のほぼ全長を越えて延び、前端縁３２８によって前方に長手方向に境界を接している。
【００８０】
その前部長手方向端近くに、スライド２５０は、横方向の垂直平面内にハウジング５８内に受入れられるようにフランジ３１０の平面に関して内側に向かって延びる駆動分岐３３１を有する。
【００８１】
スライド２５０が造られているシートメタルの厚い部分は、リブ２７５および２７７の上方縁を跨ぐその背部３１２が絶縁支持体の水平上方面５６に関して垂直方向にわずかに後退して位置されるようなものであり、スライド２５０は、このように、カバー５４の上方水平平板６０の下方に絶縁支持体５２に関して長手方向にスライドすることができ、このカバー５４は、スライド２５０の背部３１２の上方に水平に延びている。
【００８２】
ここでカード排出スライド２５０は、また、公知の設計であって、長手のカードブロッキング機能を備える手段を有するスライドである。
【００８３】
この機能は、このスライドがカード保持機能を有する後部ゲートに取付けられ、したがってそのカードがスライドに関して長手方向に移動するのを防止する限りにおいて、この発明の原理を実施する状況内では必要ない。
【００８４】
しかしながら、このスライドは、特別にはコネクタの範囲内に可能である限りの多くの部品として標準化するように、かつスライド内に合体されるカードブロッキング手段１８６が完全にこの発明の実施と互換性がある限りにおいて、それでもカードブロッキングを有するタイプである。
【００８５】
この目的のために、内部の側方フランジ３１０は、また、その長さに沿ってほぼ半分の道程に配置された四角い窓３３２を有し、この窓３３２は、カードＣをブロッキングするための爪１８６の通過が可能であるように設計され、さらに、事実このカードＣは、このカードの左長手方向縁のブロッキングノッチ７５内に受入れられることができる。
【００８６】
この爪１８６は、切断することおよび折曲げることによって、スライド２５０と一体として造られる弾性的なブロッキングブレード１８４の前部長手方向端に形成される。
【００８７】
最後に前部外側側方フランジ３１６は、Ｕ字形ロッキング部材２５６の後部端要素３４２を収容し得る孔３４０を有する。
【００８８】
Ｕ字形部材２５６は、長手方向指向の主要部分３４４および２つの直角の要素を有する曲ったワイヤ要素と、後部要素３４２と、前部要素３４６とを有し、それは、Ｕ字形部材の組立てられた位置において、要素３４２がスライド２５０内の孔３４０に収容されるように、さらには、より大きい長さであって、ハート形ロッキングカム２６５内に収容されるように内部に向かって横方向延びている。
【００８９】
駆動分岐３３１は、下方縁３１８の平面に存在しそのタブにおいて垂直の貫通孔３３３がカードスライダ５００を排出スライド２５０に取付けるために形成される下方の水平タブ３２８によってフランジ３１０に接続される。
【００９０】
分岐３３１はまた、プッシュイン位置において、垂直端壁７８の面する部分に対して当接するスライド用のストップタブである。
【００９１】
図２８以下数図に詳細に例証されたカード「スライダ」５００は、端壁６２とカードの下方面７６との間に垂直に挿入された薄い水平平板の普通の形状を有する部品であり、ここでは切断され折曲げられたシートメタルの一体片である。
【００９２】
それは、その後部縁５０４近くに、その中にスライドするように２つの補完的なレール８９および９１を使用する２つのスライド路５０６および５０８を支承する平板の形状における中央体５０２であり、前記レールは、アーム８８および９０の、低くし、かつ横方向の内部長手方向縁に形成される。
【００９３】
その前部横方向縁５１０の向こう側に、中央平板５０２が、常時は少なくとも部分的に、絶縁支持体５２の水平下方面５７内にこの目的のために形成された凹所５９内に収容される、凹んだ前部ガイドおよび安定させる平板５１２によって、前方に延びており、それによって遊びなしに垂直平板にスライドすることを確実にしている。
【００９４】
中央平板５１２は、また、前部結合アーム５１４によって延びており、その前部自由端は、垂直に上方に延び、かつスライド２５０の結合孔３３３内に常時収容される結合フィンガー５１６を有する。
【００９５】
アーム５１４は、中央平板５０２と同一の平面内にあり、凹所６３を有する端壁６２の面する部分の上方に水平に延びる。
【００９６】
また、２つの側から形成される凹所６３は、端壁６２との上方面の共通平面を有する絶縁体の厚さ内に「留まる」中央平板５０２の側方縁を収容することができるようにする。
【００９７】
このようにスライド２５０とスライダ５００は、一体の移動可能な組立を構成し、長手方向の前方または後方に移動する。
【００９８】
他のやり方では、組立２５０-５００は、カードホルダキャリッジとして考慮される。
【００９９】
その後部縁５０４の向こう側に、中央平板５０２は、通常は中央平板５０２と共通の平面である１対の後部長手アーム５１８によって後方に延びている。
【０１００】
アーム５１８は、それらの後部自由端５２０が、後部横方向アームまたはバー５２２によって接続され、全体に下方に移動されるように、初期の休止平面に関して弾性的に変形することができる２本の可撓ビームを構成する。
【０１０１】
後部アーム５２２は、保持バー５２６を有する後部ゲート５２４を設置し、留めるためのタブを構成する。
【０１０２】
ゲート５２４は、カードＣを保持するための後部横方向バー５２６を本質的に構成するプラスチックモールド部品である。
【０１０３】
バー５２６は、カードＣの後部端部分の形状に補完的な内部ハウジング５２８を有し、このハウジングは、特に前部垂直横方向面５３０を有し、そのカードの後部縁６８に面しており、水平の底部５３２を有する。
【０１０４】
ゲート５２４はまた、その前部に向かって出てくる水平スロット５３６を有する前部下方延長部５３４を有し、その中に後部横方向アーム５２２が収容され、固定される。
【０１０５】
全体のゲート５２４は、下方の水平面５３８によって下方に向かって境界を接する。
【０１０６】
ハウジング５２８と、延長部５３４との共通の水平の上方面５３２は、アーム５１８、および中央平板５０２の上方面と共通平面である。
【０１０７】
カードが、図２３に示すように、その突出した後部位置においてスライダ５００内に位置されると、その後部縁６８は、保持バー５２６の前部横方向面５３０に対向している。
【０１０８】
コーナー面６４を有するその前部横方向縁６６は、縁６６の後退した部分６６’に面する補完的対立タブとともに駆動分岐３３１に面する。
【０１０９】
図１９〜２４は、完全なコネクタ５０と適合される一種の電子装置Ｅと関連して動作を例証しており、ドア５２４の下方部の代りの実施例を示し、ドアは、内方面５３８に関して下方にオフセットされた下方面を５４３によって境界を接する厚味を有する下方ヒール５４１を有する。ヒール５４１は、また図３１における点線で示されている。
【０１１０】
もし、ユーザーが、その外部の後部横方向面５２７に作用することによって、バー５２６を前方に押すならば、それは、結合されるスライダ５００およびスライド２５０を、図２２に示される最大のプッシュイン位置内にもってき、そのときユーザーは、プッシュを止め、それからスライド２５０、したがってスライダ５００は、自動的に、図１９に示される位置にロックされる。
【０１１１】
特に図１９に示されるように、この位置において、ゲート５２４、５２７は、ほとんどいかなる隙間もなく、コネクタを備えている装置または機器Ｅの場合の前面５４２に形成された開口またはスロット５４０を閉じる。このスロットは、その総計した高さが、ほぼ、面５２５および５４３を分離する距離に応じてゲートの５２４の最大高さと等しいように、水平面５４５によって下方に、そして水平面５４７によって上方に境界を接する。
【０１１２】
このカードを解除するために、スライド２５０は、再度解除されなければならない。
【０１１３】
この目的のために、再度ユーザーは、図２１に示される最大のプッシュイン位置まで、バー５２６、５２７を前方に押すが、図において、ゲート５２４の後部横方向面５２７は、スロット内側で前方にオフセットされ、それからユーザーは押圧を止めることを理解することができる。
【０１１４】
スプリング２５４の作用のもとに、スライドは、図２１に示されるその最大の突出された後部位置まで戻り、その位置において、バー５２６を有するゲート５２４は、再度、カードＣの長手方向の保持のための高い位置にある。
【０１１５】
スライダ５００を有するゲート５２４は、装置Ｅ、５４２に関して戻され、ユーザーが、水平な上方面５２５に垂直に下方に押圧することによって、さらには特にビームアーム５１８を弾性的に変形することによって、ゲートを低くすることが充分にできる。
【０１１６】
ゲート５２４の保持バー５２６は、それから、図２４に例証されるように下方に移動され、それから、スライダ５００からカードＣを取出すことができる。
【０１１７】
この取出しは、図５に例証され、カードが、バー５２６の上方面５２５を越えてその下方面を経てスライドすることを示している。
【０１１８】
特に、図２３に示されるように、ゲート５２４の下方面５３８の部分は、安全な装置を構成するように、スロット５４０の下方面５４５の面する部分と対向しており、ユーザーがゲートに過剰に支承されること、およびアーム５１８を弾性的に変形することを防止する。
【０１１９】
一旦カードが取り除かれると、バー５２６は、図２および６に例証されるように、その高い休止位置に弾性的に復帰する。
【０１２０】
カードＣなしに、そのゲートを有するスライダ５００を「再閉止」することは可能であり、いわゆる「プッシュオン／プッシュオフ」機能を使用することをロックできる。
【０１２１】
このことは、ゲート５２４およびスライダ５００に作用することによって、カードがなくても、スライド２５０が作動するからである。
【０１２２】
突出した後部位置においてスライド２５０およびスライダ５００を用いてカードを挿入するために、ユーザーは、ゲートを低くし、それが再度、図２２に例証された位置に到達するまで、カードをキャリッジ内にスライドさせるために、アームを変形することによって、一般的に水平の前方方向に、カードをスライダに導入する。
【０１２３】
図２２に例証された位置からスタートするスライダ５００からカードＣを取出すのをより容易にするために、そして特にカードＣの上面がそれを操作することをより容易にする溝を有していないので、移動可能な組立２５０-５００内に組込まれる取出スプリングを設けることができる。
【０１２４】
このようなスプリング、この場合にはリーフスプリングは、図３４−３９に例証されている。
【０１２５】
この目的のために、スライド２５０のタブ３３１は、リーフスプリング３３７によって横方向内方および後方に延び、そのスプリングはカードの前縁６６の面する部分と協働する。
【０１２６】
図３４において、リーフスプリング３３７は、単一の曲がったリーフスプリングであり、それは、カードＣが図３５において分かるようにスライダ５００における位置にあるときに曲がり、そして引っ張られる弾性的ビームである。保持バーを形成するゲート５２４がユーザーによって充分に低くされると直ぐに、引張られたリーフスプリング３３７は、カードＣを自動的にスライダ（図３６）から後方に排出される。
【０１２７】
図３３から３９において、リーフスプリングは、ヘアピン形状に曲げられる。
【０１２８】
スライドのスプリング２５４に関してリーフスプリング３３７の弾性的予荷重は、スライドの初期の前方への移動を起こすことなしに、カードＣの挿入によって引張られるためである。
【０１２９】
比較のために、図５０から５７に例証されたこの発明の第２の実施例が今や説明され、それは、ＭＩＣＲＯＳＩＭカードＣおよびそのようなカードを受けようとするこの発明によるコネクタ５０に関する。
【０１３０】
カードＣは、その後部横方向縁６８およびその右側縁７２の交点によって形成される４５°コーナー面６４を有する。
【０１３１】
対立するコーナー面６４は、ゲート５２４のハウジング５２８の右手コーナーにこの目的のために形成された補完的形状９８と協働するように設計され、この形状９８は、ＭＩＣＲＯＳＩＭカードＣが、スライダ５００において、したがってコネクタ５０において、正しく、かつ明確に適合することを確実にする。
【０１３２】
ここで絶縁支持体５２は、ＭＩＣＲＯＳＩＭカードの下方面６７のパッドＰｉに対応するために、コネクタの中央で自由接点端と長手方向に整列された対で配置された接点ブレード１００、１０２を有する。
【０１３３】
図５１から５８には示されていないブレード１０２の接続端１０４は、その自由端が、印刷回路基板の、または可撓性回路の対応するトラックに弾性的に支承することによって電気接点になるように、それらがコネクタの下方面の下方に曲げられ、かつ下方に傾いている印刷回路基板に表面はんだ付けされるタイプでよく、または、図１００から１０２に例証された技術を用いるはんだレスタイプでもよい。この目的のために、カバー５４は、基板上に適合によって捕捉し、配置されることができるように、その３つの縁におけるタブ５６０および５６２を有する。
【０１３４】
特に図５１および５２において分かるように、スライダ５００は、基本的に３本の平行なアーム５１８によって形成され、その左手の１つは結合アーム５１４によって延ばされ、この場合には結合穴３３３を有し、スライド２５０のタブ３２９は、垂直方向下方に向けられてスライダ５００の穴３３３内に受入れられる結合フィンガー５１６を有する。
【０１３５】
右手のアーム５１８は、移動するスイッチブレード５１９と、その前部自由端５２９で水平方向に折畳まれたタブ５９０とを有し、タブ５９０は、カード排出スプリング３３７用のガイドおよび位置決め手段として働き、前記スプリングは、ここではタブ５９０の端壁５９１とカードの後部横方向縁６６との間に挿入されたらせん状の圧縮スプリングである。
【０１３６】
そのゲート５２４を有するスライダ５００の後部長手方向端部は、上に述べたものと同様の全体デザインを有する。それがスライドするようにガイドされるべきスライダ５００の本体５０２のための順序で、前記本体５０２は、Ｕに切り取られた平板の普通の形状を有し、スライダ５００の対向する外方長手方向縁５０６および５０８は、長手方向アーム８８および９０内に形成された補完的レール内にスライディングして受入れられる。
【０１３７】
メタルスライダ５００の右手の長手方向アーム５１８は、２つの固定され、整列され、そして長手方向に対向した、後部ブレード１０２’および前部ブレード１０２”と協働する移動するスイッチブレードを形成する部材を構成する垂直に上方にオフセットされた水平の上方平板５１９を有し、そのブレードは、コネクタの絶縁体本体５２によって保持され、これらは移動するスイッチブレード５１９と横方向に整列される。
【０１３８】
スイッチの固定されたブレードは、信号接点ブレードと呼ばれる他の接点ブレード１０２と同一であり、それに関して、それらは垂直方向に下方にオフセットされるだけであり、このオフセットは、ブレード１０２’および１０２”が適合する領域における絶縁支持体５２の設計から結果する。
【０１３９】
このスライド２５０は、駆動分岐３３１を有し、それはカードＣの前部横方向縁６６が面する垂直の後部横方向タブである
圧縮コイルスプリング３３７は、ゲート５２４のバー５２６の前部横方向面５３０に対して押圧されることによってスライダ５００内に挿入されたカードＣを
維持する。
【０１４０】
変形（図示せず）によれば、コイルスプリング３３７の長手方向端は、コネクタ５０の絶縁支持体５２のハウジング５８における端壁７８の面する部分に対して当接できる。
【０１４１】
しかしながら、そのような形状において、スプリングの全体の伸張は、スライダからカードを排出または取出すための移動（約２ｍｍ）に対してスライダ排出移動（約５ｍｍ）を加えることが必要であるので、相当に増加する。
【０１４２】
そのようなスプリングは、必然的に、一層かさばり、カードがスライダに挿入されたときに不必要な付加的な力をスライダに加え、そのゲートが閉じられているときには、プッシュオン／プッシュオフ装置のために、ユーザーが経験した触知の感覚から減ずる。
【０１４３】
さらに、再度この状況において、このスライダの移動の間に、カードに対してスプリング３３７によって加えられる力の変動は、所望のものと反対であり、この力はプッシュイン位置では最高であり、スライダの排出した位置では最小であって、その位置は、その力がスライダ５００からカードＣの取出しまたは排出を支援する機能を働かせなければならない位置である。
【０１４４】
スイッチの移動するブレード５１９は、カードのパッドＰｉとコネクタの接点ブレード１００、１０２との間に確立された電気回路の閉成後に、集積回路が起動されることができるようにし、さらに、その組立が、そのプッシュオン／プッシュオフシステムの使用に対応して挿入または取出の間に、その同一の電気回路が開く前に、止めるようにする。
【０１４５】
ブレード５１９の前部長手方向端は、パッドＰｉと信号接点ブレード１０２との間の電気回路の閉成後に、前部接点１０２”と接触するようになり、そしてそれは、カードの排出の間の電気回路Ｐｉ-１０２の開放直前に前部接点１０２”から逃れる。
【０１４６】
移動するブレード５１９の後部長手方向端は、挿入段階の終了時でも、またはその排出段階の開始時でも、プッシュイン位置に対応する位置と、そのロックされた位置に対応する位置との間に、プッシュオン／プッシュオフ装置のオーバートラベルの間の電気回路の開放直前に後部接点１０２’から逃れるように設計される。
【０１４７】
この方法において、プッシュオン／プッシュオフ装置によって行われたカード挿入／抜出しサイクルにおけるいかなる時点でも、スイッチは常に、電気回路が開く前に開放し、そして常に、電気回路が閉じた後に閉成して、カードの集積回路を保護している。
【０１４８】
スイッチの存在は、導電するパッドが約２ｍｍの非常に短い長さであるＭＩＣＲＯＳＩＭカードの場合には、特に重要である。
【０１４９】
図においては、その補完的手段を有するスライド２５０が、前の場合におけるように、コネクタの左手側に配置される。
【０１５０】
しかしながら、ＭＩＣＲＯＳＩＭカードが横方向縁にノッチを有さず、スライドがロッキング爪を有さない限りにおいて、スライド２５０を右手側に対称的に配置することも可能であり、そのときはコネクタの寸法を縮小することができる。
【０１５１】
電話加入者の詳細を有するＭＩＣＲＯＳＩＭカードの場合には、カードホルダキャリッジが、通信の間に偶然に、例えばゲート５２４、５２７を不注意で押すことによって排出されることがないことは、ユーザーにとって特に重要である。
【０１５２】
この目的のために、ロックされた動作位置において、ゲート５２４によって閉じられたスロットが形成される装置の面と同一面となるべき、あるいはまた、わずかに長手方向に前方に、すなわち装置の内部に向かってオフセットされるべき垂直の後方面５２７のための条件が造られる。
【０１５３】
さらに、ハート形のロッキングカム２６５は、開錠する移動が前方にオフセットされるように非対称形の外形と、ロッキング移動に関して前方に、数ｍｍの超過移動がある手段とを有する。
【０１５４】
このように、開始は、ユーザーが、中央ハウジング５３３において、例えば鉛筆の先端でゲートを押すことを要求する。
【０１５５】
この安全手段は、図１０３に例証されたハート形カム外形２６５のために得られ、この図は、ロッキングの目的のために、ロッキングポイントＰＶの方向にその外形内への進入のための上方ポイントＰＳＥが、開錠の目的のために、ポイントＰＶを去るときにその外形を退出するための下方ポイントＰＩＳに関して、後方にオフセットされていることを示している。
【０１５６】
図５８から７９に例証されているコネクタの第３の実施例は、図５７および５８に例証されているＳＤタイプのカードの場合において説明されている。
【０１５７】
それは、以下の全体デザインがＭＭＣカード用のあらゆる点で適切であることが、注目される。
【０１５８】
ＳＤカードは、その左側縁７０においてリード／ライト保護装置７７を有するのに対して、ここではノッチ７５が形成されるその前部横方向縁６６とその右側縁７２との交点での対向のための４５°コーナー面６４を有する。
【０１５９】
その後部横方向縁６８近くに、ＳＤカードは、その上方面７４に、それを取出すことをより容易にするために、ノッチまたはスロット７３を有し、そのスロット内にユーザーが例えば指の爪を挿入できる。
【０１６０】
第１の実施例における場合のように、導電パッドＰｉは、カードＣの横方向前端縁６６近くの下方面７６に配置される。
【０１６１】
特にスライド２５０を含んで全ての排出手段は、ここでは右手側に配置される。
【０１６２】
排出スライド２５０とそのカードガイドおよびロッキング手段の通常の設計は、前記特許文献７に記述されたものと同一である。
【０１６３】
４５°に傾いた駆動分岐３３１は、結合フィンガー５１６によって垂直に下方に延びている。
【０１６４】
図７６において分かるように、弾性的に変形可能なアーム５１８は、カードが収容される内部の側面間における長手方向の向きの２つの垂直の側方フランジ５２１を有するために後方に延びる中央平板５０２の本体内に切り抜かれている。
【０１６５】
ゲートは、例えば、プラスチックモールド部品、またはメタルキャストであり、
この目的のために、端部５２０が挿入され、かつ折り目をつける２つのスロット５３６を有するその前部または延長５３４を経て自由端５２０に固定されている。
【０１６６】
美的な理由のために、部品５２４は、メタライズ加工されてもよい。
【０１６７】
それはまた、金属、例えば、ＭＩＭ（メタルインジェクションモールディング）技術を使用して、スチールをモールドすることによっても製造でき、それは外観や強度を改善する。
【０１６８】
スライダ５００の主要平板または、本体５０２は、カードＣの下方面が留まるそのリブの上方面に起立するように形成されたリブ５０３を有する。
【０１６９】
ゲート５２４におけるスロット５３６は、スライダが静止しているとき（すなわち、アーム５０８が変形されていないとき）に、リブ５０３の上方面と同一の平面にあるその水平な上方面を有する２つのこぶ内に形成される。
【０１７０】
２つの保持バー５２６は、それを越えて前部に対して、その間にスライダ５００のフランジ５２１が収容される２つの垂直の長手方向の側面５２３によって側方に境界を接するその前部横方向面５３０によって、前部に対して境界を接する。
【０１７１】
垂直方向に向く横方向面５３０はより低い高さであり、上方および後方４５°に傾斜した面取り面によって延長される。
【０１７２】
カードが取出しを容易にするために溝７３を有するときは、そのカードを取出すための設置スプリングを設けることは必要ない。
【０１７３】
この操作をより容易にするために、ユーザーは単にバーに軽く支承して、それから、ユーザーがカードを長手方向に取出しているときには、チャンバ５４９の傾斜路効果から利益を得なければならないので、垂直面５３０は非常に低い高さである。
【０１７４】
大きな面取り面を有するこの非常に低い高さは、また、カードを適合するときに、ユーザーによって知覚できる自動的な、再係合効果を供与する。
【０１７５】
コネクタ５０の絶縁体５２に関してスライドするようにスライダ５００のガイディングは、側方縁によって、第２の実施例におけると同一の方法で提供される。
【０１７６】
スライダ５００およびゲート５２４、５２６の動作は、図６９から７３に関連してより特別に説明される。
【０１７７】
プッシュイン位置（図６９）、ロックされた位置（７０）およびロッキングスライド２５０、したがってスライダ５００の排出された後部位置（図７１） において、カードは前部横方向面５３０によってスライダ５００内に保持される。
【０１７８】
一旦、図７１に例証された位置が到達されると、カードＣをスライダ５００から取出すために、ユーザーは、後部横方向面６８をクリアするためにゲート５２４のバー５２６を低くして、カードＣが長手方向後方にスライドできるようにすることからなる組合された移動を実行する。
【０１７９】
この移動は、特に溝７３を使用してカードを引くことによる長手方向取出移動と組合せることができる。
【０１８０】
この組合された移動は、ユーザーによってカードＣに加えられた長手方向の引く力のために、バー５２６を充分に低くするために後部長手方向縁６８の下方コーナーと協働するチャンバ５４９によって促進される。
【０１８１】
長い弾性的なビームを形成するアームを有するスライダ５００の設計は、特に第１の実施例と比較して、ある電子機器内にこの種のコネクタを組み込むことをより容易にする。
【０１８２】
もちろん、全体の長さは、チャンバの存在に起因してわずかに増加する。
【０１８３】
チャンバ５４９はまた、スライダ５００が排出された後部位置にあるときにカードＣをスライダ５００内にはめ込むのをより容易にする。
【０１８４】
これは、それがカードの前部横方向縁６６の挿入をガイドするためのきっかけを形成する傾斜路を構成して、この挿入移動が、ゲート５２４を下方に揺動させるからである。
【０１８５】
カードの挿入は、また、カードＣの側方の予備ガイドを供与する側方フランジ５２１、５２３によって容易になる。
【０１８６】
図８０および８１において分かるように、ゲート５２４のバー５２６の外面設計またはスタイルは、無線電話のそれと補完的であり、スライダの閉塞位置およびカードの有または無しにおいて、ゲートのスタイルは、電話のそれと完全な調和にある。
【０１８７】
ゲートは、単純に外部の側面５２７を押圧すること、トリガとしてそれを押圧すること、それからスライダを排出するためにそれを解放することによって開放され、その後、カードが、スライダから取出され、またはそれをスライダ内に挿入することができる。
【０１８８】
無線電話６００は、ＧＳＭタイプ電話の例である。
【０１８９】
この発明によれば、１つまたはそれ以上のコネクタが、それぞれ異なるタイプのカードに適合できる。
【０１９０】
図８３から１００に例証された第４の実施例において、カードは、大きい厚さ（２．１ｍｍ）を有するＳＤタイプである。
【０１９１】
このカードは、取出すことをより容易にするための溝７３を有しない。
【０１９２】
コネクタ５０は、カードまたは印刷配線基板（図示せず）の下側に設置されるように設計され、この目的のために、接点ブレード１０２の接続端１０４は、コネクタの上方面の上方に延びるように、上方にＵ状に曲げられる。
【０１９３】
もちろん、図８２において分かるように、タブ１０４は、カバー５４の金属部分と垂直に対向してはいない。
【０１９４】
この実施例においては、スライダ５００の本体は、例えば領域６０２において裏面の溶接か、または接着剤による接着である２つの積層された平板５０２および５０２’とからなる。リベッティング、スナップファスニングその他のいかなる他の固定技術も予想することができる。
【０１９５】
このように平板は、コネクタのアームの内側縁を受ける２つの側方および長手方向ガイドのスライド路の間に規定される。
【０１９６】
ここではアーム５１８は、また、非常に長く、ゲート５２４を固定するための後部長手方向バー５２２によって、さらにはそれぞれ横方向に内方に突出するボス６０４を有する２つの側方フランジ５２１によって延びている。
【０１９７】
その右長手方向側縁において、下方の平板５０２’は、図９９において分かるように、ここではスライドの後部長手方向端近くに造られる排出スライド２５０に属する結合フィンガー５１６を有する結合する穴、またはノッチ３３３を有する。
【０１９８】
下方の平板５０２’のノッチ３３３を貫通するために、フィンガー５１６は、絶縁体５２（図８９参照）に形成された長手方向スロット６０６を通過し、その長さは、絶縁体５２に関してスライド２５０の長手方向の変位、または移動ができる。
【０１９９】
図９５において分かるように、上方平板５０２はまた、下方平板５０２”のフランジ５２１の間に受けられる２つの長手方向垂直のフランジ６０６を有し、フランジ５２１の内部ボス６０４は、通常は収容されている窓６０８を有している。
【０２００】
図９５および９６において分かるように、フランジ６０６の下方の長手方向縁６１０の下側に位置されるように、ボス６０４は窓６０６から結果として生じるので、アーム５１８を有するゲート５２４を低くすることが可能であり、このように一時的に引込まれた低い位置においてゲート５２４をブロックする。
【０２０１】
この解決は、それがその上方面における溝を有していないときに、カードを取出すことがより容易になるので有利である。
【０２０２】
後部位置内に対するスライドとスライダ排出後は、ユーザは、したがって、図９１に例証されたそのブロッキング位置にゲートを低くすることによってスタートする。
【０２０３】
カードを嵌め込むと、コネクタが開放された後、すなわち、スライドとスライダとが排出された後部位置にあるときに、ゲートは、通常、窓６０８に収容されたボス６０４とともに高い位置にある。
【０２０４】
ユーザーはまた、ゲートにおいてやさしく下方に押圧することによってカードを直接挿入することができるし、また、図９１および９２に例証されたように低い、または低くした位置にそれを一時的にブロックすることによって、予めゲートを低くすることもできる。
【０２０５】
ユーザーが組立を閉じるときにゲートがこの位置にブロックされる場合には、ユーザーはゲートを前方に押して、ゲートは、窓６０８におけるボス６０４の再係合によってゲートを自動的に持上げるカム形状として作用するように、コネクタと適合された電子機器の部分（図示せず）と協働する傾斜した低い傾斜路６１０を有する。
【０２０６】
取出された設置のゲートのこの発明による全体設計は、もちろん、そのチップにストアされたセキュリティ保護データを有する大きなＳＩＭ用のコネクタに適用することができる。
【０２０７】
この発明による設計は、カードコネクタ、プッシュオン／プッシュオフロッキングおよびアンロッキングを有するカードホルダキャリッジ、および、そのモジュールが設置される電子機器におけるスロットを閉じるためのゲートの機能を一緒にまとめる完全な独立したモジュールのために提供する。
【０２０８】
さらに、上述したように、このモジュールでは、カードは、２つの分離した、連続する制御されたステップからなるサイクルによって、取出される。第１のステップの間に、ユーザーは、キャリッジ内の決まった場所に留まっているカードとともにカードホルダキャリッジを排出する。第２のステップの間に、ユーザーは、その中に保持バーによって保持されていたスライダからカードを排出し、または取出す。
【図面の簡単な説明】
【０２０９】
【図１】メモリスティックデュオカードの底部左前方第３象限斜視図。
【図２】この発明によるコネクタを例証する平面左後方第３象限斜視図であって、前記コネクタにおけるカードの動作位置において、ロックされたポジションと呼ばれるものにカードとともに示される。
【図３】図２の底面図。
【図４】他の視角で図２および３と同様な図。
【図５】同じく他の視角で図２および３と同様な図。
【図６】カードなしの図２と同様の図。
【図７】保護カバーなしの図２と同様の図。
【図８】図２と同様の図であって、その中にカードホルダキャリッジおよびカードが、プッシュインポジションと呼ばれるものにあって、すなわちロック解除の目的のための挿入の間、またはロック解除の間の最大の前方移動後である。
【図９】前記カードもカバーもなしの前図と同様の図。
【図１０】他の視角で前図と同様の図。
【図１１】図２と同様の図であって、キャリッジの高い長手方向のカード保持位置にあるゲート形成保持バーとともに前記カードおよびキャリッジが排出された後部長手方向の位置に示される。
【図１２】図１０と同様の図であって、その中に前記キャリッジが排出された位置にある。
【図１３】図２と同様の図であって、その中に前記カードおよび前記キャリッジが、前記保持された低い、または低くした位置におけるゲート形成の保持バーとともに排出された後部長手方向位置に示されている。
【図１４】図２と同様の図であって、その中に前記カードおよび前記キャリッジが、排出された後部長手方向位置、前記低くした位置におけるバーおよびキャリッジ外部の取出された位置におけるカードに示されている。
【図１５】前記保護カバーなしの図８と同様の図。
【図１６】前記保護カバーなしの図１１と同様の図。
【図１７】前記保護カバーなしの図１４と同様の図。
【図１８】前記保護カバーなしの図１４と同様の図。
【図１９】図２の長手方向断面図。
【図２０】図２の横断面図。
【図２１】図８の長手方向断面図。
【図２２】図１１の長手方向断面図。
【図２３】図１３の長手方向断面図。
【図２４】図１４の長手方向断面図。
【図２５】後部長手方向端でゲート形成のバーを支承するカードスライダなしの図９と同様の図。
【図２６】前記絶縁体本体の図２５と同様の図。
【図２７】図２６の絶縁体の底面図。
【図２８】そのゲート形成の後部バーとともに図９のスライドするスライダの図であって、このバーは、それが弾性的に復帰されるその高い休止位置に示されている。
【図２９】前記スライドの図２８と同様の図。
【図３０】前記ゲート形成のバーの後部斜視図。
【図３１】図３１の底面図。
【図３２】図９の排出摺動の図。
【図３３】他の視角の図３３と同様の図。
【図３４】図３３と同様の図であって、カード取出しスプリングと協働するキャリッジの第１の異なる実施例を例証する。
【図３５】図７と同様の図であって、カード取出しスプリングと協働するキャリッジの第１の異なる実施例を例証する。
【図３６】図１８と同様の図であって、カード取出しスプリングと協働するキャリッジの第１の異なる実施例を例証する。
【図３７】図３３と同様の図であって、カード取出しスプリングと協働するキャリッジの第１の異なる実施例を例証する。
【図３８】図７と同様の図であって、カード取出しスプリングと協働するキャリッジの第１の異なる実施例を例証する。
【図３９】図１８と同様の図であって、カード取出しスプリングと協働するキャリッジの第１の異なる実施例を例証する。
【図４０】ＭＩＣＲＯＳＩＭカードの底部左後部第３象限斜視図。
【図４１】図４０に示されるようなＭＩＣＲＯＳＩＭカード用のこの発明によるコネクタの図２と同様の図。
【図４２】前記カバーなしの図４１のコネクタの図。
【図４３】プッシュインポジションにおけるキャリッジを有する図４２と同様の図。
【図４４】前記排出された後部位置におけるキャリッジを有するコネクタを示す。
【図４５】後部位置におけるキャリッジと、前記保持された低くした位置におけるゲートとを有するコネクタを示す。
【図４６】前記スライダから取出された間のＭＩＣＲＯＳＩＭカードを示す。
【図４７】ＭＩＣＲＯＳＩＭカードなしの図４２と同様の図。
【図４８】他の視角の図４７と同様の図。
【図４９】前記スライダおよびゲートなしの図４７と同様の図。
【図５０】前記コネクタの絶縁体の斜視図。
【図５１】前記スライダの図２８と同様の図。
【図５２】前記スライダの図２９と同様の図。
【図５３】ゲート形成のカード保持バーの上面斜視図。
【図５４】ゲート形成のカード保持バーの底面斜視図。
【図５５】前記ＭＩＣＲＯＳＩＭカードを排出するためのスライドの斜視図。
【図５６】前記ＭＩＣＲＯＳＩＭカードを排出するためのスライドの斜視図。
【図５７】１.４ｍｍ厚のＳＤカードの上面左後部第３象限斜視図。
【図５８】図２と同様の図であって、図５７に示されるＳＤカードのためのこの発明によるコネクタの第３実施例を示している。
【図５９】他の視角の前記コネクタの図５８と同様の図。
【図６０】図５８の底面図。
【図６１】スライドと、排出された後部位置のスライダとを有する図５８と同様の図。
【図６２】カードなしの図６１と同様の図。
【図６３】前記カードが取出された低くした位置におけるゲートを有するスライダから取出される過程にある図６１と同様の図。
【図６４】前記カードが取出されたより低い位置におけるゲートを有するスライダから取出される過程にある図６２と同様の図。
【図６５】前記カバーなしの図５８と同様の図。
【図６６】前記カバーもカードもなしの図５８と同様の図。
【図６７】他の視角の図６６と同様の図。
【図６８】他の視角であって前記カバーなしの図６４と同様の図。
【図６９】前記カード、ロック位置におけるキャリッジを有する前記コネクタの長手方向断面図。
【図７０】プッシュイン前方位置における、前図と同様の図。
【図７１】排出された後部位置プッシュイン前方位置における前記スライダおよびカードを有する同様の図。
【図７２】前記より低くしたゲートおよびスライダから取出される過程のカードを有する同様の長手方向断面図。
【図７３】前記カードなしの図７２と同様の図。
【図７４】前記コネクタの絶縁体の斜視図。
【図７５】前記コネクタの絶縁体の斜視図。
【図７６】前記ゲートなしの前記カード排出スライダの上面左後部第３象限斜視図。
【図７７】図７６のスライダと協働する前記ゲートの上面左後部第３象限斜視図。
【図７８】他の視角の図７７と同様の図。
【図７９】図７７に例証された前記ゲートの底面斜視図。
【図８０】前記第３実施例によるコネクタを組込む無線電話の概略斜視図であって、後者（第３実施例）は、前記スライダの排出された位置において、前記カードなしで示されている。
【図８１】前記コネクタが前記スライダの閉じられ、かつロックされた位置に示されている図８０のより拡大の詳細である。
【図８２】大きい厚さ（２.１ｍｍ）のＳＤカード用に適している第４実施例のこの発明によるコネクタの図２と同様の図。
【図８３】図８２の底面図。
【図８４】前記カバーなしの図８２と同様の図。
【図８５】他の視角の図８４と同様の図。
【図８６】前記排出された後部位置における前記キャリッジを伴う図８５と同様の図。
【図８７】低くした位置における、この位置にブロックされたゲートを伴う図８６と同様の図。
【図８８】前記カードを伴う図８７と同様の上面図。
【図８９】前記コネクタの前記絶縁体の上面図。
【図９０】図８９の前記絶縁体の上面斜視図。
【図９１】排出された後部位置におけるスライダと引込まれた低い位置でかつ一時的にブロックされた前記ゲートとを伴う長手方向の断面図。
【図９２】取出される過程のカードを伴う前図と同様の図。
【図９３】そのゲートを有する２つの部分の前記スライダの斜視図。
【図９４】前記ゲートなしの前記スライダを例証する前図と同様の図。
【図９５】前記スライダの本体の上方の構成部分の斜視図。
【図９６】前記スライダの下方の構成部分の斜視図。
【図９７】前記ゲートの斜視図。
【図９８】前記ゲートの斜視図。
【図９９】前記排出スライドの斜視図。
【図１００】ＭＩＣＲＯＳＩＭカード用のこの発明によるコネクタの他の実施例の上面図であって、その接点ブレードは、ソルダレスタイプの出力端子を有する。
【図１０１】図１００のＡ−Ａ線の長手方向断面図。
【図１０２】図１００における矢印Ｆ１０２の方向に沿って見える端面図。
【図１０３】図４９における矢印Ｆ１０３の方向に沿って見える詳細図であって、非対称を得るためのハート形のカムの設計およびロッキングしないで安全なオーバートラベルを例証している。
【図１】
2006520073.tif 000003
【図２】
2006520073.tif 000004
【図３】
2006520073.tif 000005
【図４】
2006520073.tif 000006
【図５】
2006520073.tif 000007
【図６】
2006520073.tif 000008
【図７】
2006520073.tif 000009
【図８】
2006520073.tif 000010
【図９】
2006520073.tif 000011
【図１０】
2006520073.tif 000012
【図１１】
2006520073.tif 000013
【図１２】
2006520073.tif 000014
【図１３】
2006520073.tif 000015
【図１４】
2006520073.tif 000016
【図１５】
2006520073.tif 000017
【図１６】
2006520073.tif 000018
【図１７】
2006520073.tif 000019
【図１８】
2006520073.tif 000020
【図１９】
2006520073.tif 000021
【図２０】
2006520073.tif 000022
【図２１】
2006520073.tif 000023
【図２２】
2006520073.tif 000024
【図２３】
2006520073.tif 000025
【図２４】
2006520073.tif 000026
【図２５】
2006520073.tif 000027
【図２６】
2006520073.tif 000028
【図２７】
2006520073.tif 000029
【図２８】
2006520073.tif 000030
【図２９】
2006520073.tif 000031
【図３０】
2006520073.tif 000032
【図３１】
2006520073.tif 000033
【図３２】
2006520073.tif 000034
【図３３】
2006520073.tif 000035
【図３４】
2006520073.tif 000036
【図３５】
2006520073.tif 000037
【図３６】
2006520073.tif 000038
【図３７】
2006520073.tif 000039
【図３８】
2006520073.tif 000040
【図３９】
2006520073.tif 000041
【図４０】
2006520073.tif 000042
【図４１】
2006520073.tif 000043
【図４２】
2006520073.tif 000044
【図４３】
2006520073.tif 000045
【図４４】
2006520073.tif 000046
【図４５】
2006520073.tif 000047
【図４６】
2006520073.tif 000048
【図４７】
2006520073.tif 000049
【図４８】
2006520073.tif 000050
【図４９】
2006520073.tif 000051
【図５０】
2006520073.tif 000052
【図５１】
2006520073.tif 000053
【図５２】
2006520073.tif 000054
【図５３】
2006520073.tif 000055
【図５４】
2006520073.tif 000056
【図５５】
2006520073.tif 000057
【図５６】
2006520073.tif 000058
【図５７】
2006520073.tif 000059
【図５８】
2006520073.tif 000060
【図５９】
2006520073.tif 000061
【図６０】
2006520073.tif 000062
【図６１】
2006520073.tif 000063
【図６２】
2006520073.tif 000064
【図６３】
2006520073.tif 000065
【図６４】
2006520073.tif 000066
【図６５】
2006520073.tif 000067
【図６６】
2006520073.tif 000068
【図６７】
2006520073.tif 000069
【図６８】
2006520073.tif 000070
【図６９】
2006520073.tif 000071
【図７０】
2006520073.tif 000072
【図７１】
2006520073.tif 000073
【図７２】
2006520073.tif 000074
【図７３】
2006520073.tif 000075
【図７４】
2006520073.tif 000076
【図７５】
2006520073.tif 000077
【図７６】
2006520073.tif 000078
【図７７】
2006520073.tif 000079
【図７８】
2006520073.tif 000080
【図７９】
2006520073.tif 000081
【図８０】
2006520073.tif 000082
【図８１】
2006520073.tif 000083
【図８２】
2006520073.tif 000084
【図８３】
2006520073.tif 000085
【図８４】
2006520073.tif 000086
【図８５】
2006520073.tif 000087
【図８６】
2006520073.tif 000088
【図８７】
2006520073.tif 000089
【図８８】
2006520073.tif 000090
【図８９】
2006520073.tif 000091
【図９０】
2006520073.tif 000092
【図９１】
2006520073.tif 000093
【図９２】
2006520073.tif 000094
【図９３】
2006520073.tif 000095
【図９４】
2006520073.tif 000096
【図９５】
2006520073.tif 000097
【図９６】
2006520073.tif 000098
【図９７】
2006520073.tif 000099
【図９８】
2006520073.tif 000100
【図９９】
2006520073.tif 000101
【図１００】
2006520073.tif 000102
【図１０１】
2006520073.tif 000103
【図１０２】
2006520073.tif 000104
【図１０３】
2006520073.tif 000105
【国際調査報告】
2006520073.tif 000106
2006520073.tif 000107